(57)【要約】【課題】操作しやすく、詳細設定の時間短縮を図る洗濯機制御システムを提供すること。【解決手段】洗濯機２９と端末装置２８とで構成され、洗濯機２９は、制御部３９と、洗濯機送受信部３８と、入力部２６と表示部２７を有する操作表示部３７とを備え、端末装置２８は、洗濯機２９の洗濯機送受信部３８と情報をやりとりできる端末送受信部３３と、端末操作部３０とを備え、端末装置２８に使用者の情報を入力した後で端末装置２８を洗濯機２９に近づけることによって、情報通信が行われ、前記使用者の情報により操作表示部３７の電源投入後最初に表示される選択できる運転コースの表示内容を変更する構成としたことにより、使用者の操作性を向上させ、細かい設定に必要な時間を短縮させることができる。【選択図】図１
2014054278.tif 000002
【特許請求の範囲】
【請求項１】
洗濯機と、前記洗濯機に設けられた洗濯機送受信部と情報をやりとりできる端末送受信部を有する端末装置とで構成される洗濯機制御システムであって、前記洗濯機は、運転コースの設定内容などを記憶する記憶部を有し、洗い、すすぎ、脱水及び乾燥の各行程を制御する制御部と、前記洗濯機送受信部と、電源入りスイッチなどの入力部と運転コースの設定内容などを表示する表示部を有する操作表示部とを備え、前記端末装置は、前記端末送受信部と、端末入力部と端末表示部と転送開始ボタンを有する端末操作部とを備え、前記洗濯機は、前記端末装置の前記端末操作部で入力され前記端末送受信部から送信された運転コースのプログラム内容を前記洗濯機送受信部で受信して、前記制御部により前記各行程を制御するとともに、前記端末装置に使用者の情報を入力した後で前記端末装置を前記洗濯機に近づけることによって、前記使用者の情報を前記洗濯機送受信部で受信し、前記使用者の情報により前記操作表示部の電源投入後最初に表示される選択できる運転コースの表示内容を変更することを特徴とする洗濯機制御システム。
【請求項２】
前記操作表示部は、液晶表示板による表示部と、前記液晶表示板の前面に設けた接触式入力装置による操作部とを備えた請求項１記載の洗濯機制御システム。
【請求項３】
前記使用者の情報は、家族構成、年齢、洗濯頻度、使用洗剤、風呂水の利用のいずれかを含む情報で構成された請求項１または２記載の洗濯機制御システム。
【発明の詳細な説明】
【技術分野】
【０００１】
本発明は、洗濯兼脱水槽内に投入した衣類を洗濯する洗濯機を制御する制御システムに関するものである。
【背景技術】
【０００２】
従来、洗濯機は洗い運転とすすぎ運転と脱水運転と乾燥運転との内容が規定された運転コースに基づいて実行する。そのため操作部は、洗い運転における洗い時間とすすぎ運転におけるすすぎ回数と脱水運転における脱水時間と乾燥運転における乾燥時間を入力するための入力部を有している。入力部は、洗い時間を設定するためのボタンと、すすぎ回数を設定するためのボタンと、脱水時間を設定するためのボタンとによって構成されている。入力部に入力された洗濯運転のための動作内容は、メモリへ書き込まれる（例えば、特許文献１参照）。
【０００３】
図１２は特許文献１に記載された従来の洗濯機の縦断面図、図１３は同洗濯機のブロック回路図、図１４は同洗濯機の操作部を示すものである。図１２において、洗濯機１は、略長方体に構成した筐体３を備えており、この筐体３の内部に、略円筒形に構成した水受け槽４を吊り棒５によって吊り下げ、この水受け槽４内に、略円筒形状に構成した洗濯兼脱水槽６を回転自在に内包している。洗濯兼脱水槽６の底部には、撹拌翼７を垂直方向に沿った軸の回りに回転自在に設けている。
【０００４】
水受け槽４外底部には、撹拌翼７を回転させるモータ８を設け、モータ８は、直流ブラシレスモータによって構成している。モータ８と撹拌翼７との間には、動力切換機構９を設け、この動力切換機構９は、洗濯時にはモータ８からの駆動力を減速して撹拌翼７へ伝達し、脱水時にはモータ８からの駆動力を１対１で洗濯兼脱水槽６へ伝達する。
【０００５】
水受け槽４の上には、散水用の吐出部を形成するカバー体１０を設けている。また、筐体３の上方には、洗濯兼脱水槽６内に給水する給水弁１１を設けている。また、水受け槽４の下方には、水受け槽４内の洗濯水を排水する排水弁１２を設けている。水受け槽４の外壁下部に接続部１３を設け、この接続部１３に水受け槽４の水位を検知する水位検知器１４を接続し、水位検知器１４は接続部１３における水圧を電気的な周波数に変換するよう構成している。
【０００６】
また、洗濯機１の上面前部には、操作部２を配設し、運転コース等のモードや各種機能の選択は、使用者が操作部２から入力部２６へ入力して行ない、洗濯機１の上面前部内方に設けられた制御部２２が、その入力情報を基に操作部２の表示部２７に表示して使用者に知らせる。
【０００７】
図１３において、モータ８は、インバータ回路１５によって駆動され、インバータ回路１５は、６個のスイッチング素子１６Ａ〜１６Ｆを有し、各スイッチング素子１６Ａ〜１６Ｆは、パワートランジスタと逆導通ダイオードとによって構成される並列回路をそれぞれ有している。電源１７は、ダイオードブリッジ１８とチョークコイル１９と平滑用コンデンサ２０とによって構成される直流電源変換装置を介してインバータ回路１５へ電圧を供給する。電源１７はまた、ポンプ６０、給水弁１１、排水弁１２、動力切換機構９に電圧を供給する。モータ８には、３個の位置検出器２１を設け、各位置検出器２１は、モータ８の回転位置を検出する。
【０００８】
制御部２２は、回転制御部２３を有し、この回転制御部２３は、各位置検出器２１によ
って検出されたモータ８の回転位置と、水位検知器１４によって検知された水受け槽４の水位とに基づいて、駆動回路２４を制御する。駆動回路２４は、回転制御部２３からの指示に基づいて、インバータ回路１５を駆動する。ポンプ６０と給水弁１１と排水弁１２と動力切換機構９とは、負荷駆動部２５に接続しており、負荷駆動部２５は、制御部２２からの指示に基づいて、ポンプ６０と給水弁１１と排水弁１２と動力切換機構９とをそれぞれ駆動する。
【０００９】
操作部２は、洗い時間、すすぎ回数、脱水時間などを入力する入力部２６と、入力部２６に入力された洗い時間、すすぎ回数、脱水時間などを表示する表示部２７とを有する。図１４において、入力部２６は、洗い時間を設定する洗い時間設定スイッチ２６ａ、すすぎ回数を設定するすすぎ回数設定スイッチ２６ｂ、脱水時間を設定する脱水時間設定スイッチ２６ｃ、乾燥時間を設定する乾燥時間設定スイッチ２６ｄ、スタート・一時停止スイッチ２６ｅ、電源入りスイッチ２６ｆ、電源切りスイッチ２６ｇなどを有し、表示部２７は、洗い時間表示部２７ａ、すすぎ回数表示部２７ｂ、脱水時間表示部２７ｃ、乾燥時間表示部２７ｄなどを有している。
【００１０】
また、入力部２６は、複数の基本運転コースと特別運転コースとのいずれかを選択する運転コース選択スイッチ２６ｈと、複数の基本運転コースと特別運転コースとのそれぞれに対応する複数の運転コース選択表示部２７ｅとを設けている。ここで、特別運転コースは、入力部２６に入力された洗い時間、すすぎ回数、脱水時間をそれぞれ変更することによって設定する。
【００１１】
複数の運転コース選択表示部２７ｅは、発光ダイオードによって構成されている。基本運転コースには、例えば、「おまかせコース」と「お急ぎコース」と「おうちクリーニングコース」が含まれている。「おまかせコース」は、最も標準的な運転コースであって、例えば洗い時間が「９分」に設定されており、すすぎ回数が「注水２回」に設定されており、脱水時間が「７分」に設定されたコースである。
【００１２】
「お急ぎコース」は、急いで洗濯するための基本運転コースであって、例えば洗い時間が「３分」に設定されており、すすぎ回数が「注水１回」に設定されており、脱水時間が「３分」に設定されている。「おうちクリーニングコース」は、クリーニングを推奨されている衣類を家庭内の洗濯機において洗うための基本運転コースであって、例えば洗い時間が「１２分」に設定されており、すすぎ回数が「ため２回」に設定されており、脱水時間が「４０秒」に設定されている。
【００１３】
特別運転コースは、洗い時間、すすぎ回数、脱水時間を任意に設定することができる。運転コース選択表示部２７ｅは、「おまかせコース」、「お急ぎコース」、「おうちクリーニングコース」、「特別運転コース」ごとにそれぞれ設けている。運転コース選択スイッチ２６ｈを押すたびに「おまかせコース」、「お急ぎコース」、「おうちクリーニングコース」、「特別運転コース」と、この順番に運転コース選択表示部２７ｅが切り替わって点灯してゆく。
【００１４】
上記構成において動作を説明する。運転コース選択スイッチ２６ｈを押すことによって、特別運転コースが選択されると、最も標準的な運転コースである「おまかせコース」に予め規定された洗い時間、すすぎ回数、脱水時間が、洗い時間表示部２７ａ、すすぎ回数表示部２７ｂ、脱水時間表示部２７ｃに表示される。そして、使用者は、洗い時間表示部２７ａ、すすぎ回数表示部２７ｂ、脱水時間表示部２７ｃに表示された「おまかせコース」の洗い時間、すすぎ回数、脱水時間を参照しながら、自らの洗濯事情に合わせて、「おまかせコース」の洗い時間、すすぎ回数、脱水時間を変更するために、所望の洗い時間設定スイッチ２６ａ、すすぎ回数設定スイッチ２６ｂ、脱水時間設定スイッチ２６ｃをそれ
ぞれ複数回押すことによって、特別運転コースを設定する。その後、制御部２２は、入力部２６によって設定された特別運転コースに基づいて、洗い、すすぎ、脱水及び乾燥の一連の行程を実行するように、駆動回路２４と負荷駆動部２５とを制御する。
【先行技術文献】
【特許文献】
【００１５】
【特許文献１】特開２００２−１１９７８８号公報
【発明の概要】
【発明が解決しようとする課題】
【００１６】
しかしながら、前記従来の構成では、洗濯機が置かれている環境は照明が十分ではない場合が多く、その環境で、特別運転コースの、例えば「おまかせコース」の細かい設定を変更することは、決して楽な動作ではない。使用者の家族構成や洗濯頻度、使用洗剤により、「おまかせコース」の細かい設定が必要となるが、この設定に時間が必要となるという課題があった。
【００１７】
本発明は、前記従来の課題を解決するもので、送受信の通信機能を持つことにより、端末装置に家族構成、年齢、洗濯頻度、使用洗剤、風呂水の利用等の使用者の情報を入力した後で前記端末装置を前記洗濯機に近づけることによって、情報通信が行われ、使用者の情報により操作表示部の電源投入後最初に表示される選択できる運転コースの表示内容を使用者のニーズに合ったものに変更することにより、使用者の操作性を向上させ、細かい設定に必要な時間を短縮させることができる洗濯機制御システムを提供することを目的とする。
【課題を解決するための手段】
【００１８】
前記従来の課題を解決するために、本発明の洗濯機制御システムは、洗濯機と、前記洗濯機に設けられた洗濯機送受信部と情報をやりとりできる端末送受信部を有する端末装置とで構成される洗濯機制御システムであって、前記洗濯機は、運転コースの設定内容などを記憶する記憶部を有し、洗い、すすぎ、脱水及び乾燥の各行程を制御する制御部と、前記洗濯機送受信部と、電源入りスイッチなどの入力部と運転コースの設定内容などを表示する表示部を有する操作表示部とを備え、前記端末装置は、前記端末送受信部と、端末入力部と端末表示部と転送開始ボタンを有する端末操作部とを備え、前記洗濯機は、前記端末装置の前記端末操作部で入力され前記端末送受信部から送信された運転コースのプログラム内容を前記洗濯機送受信部で受信して、前記制御部により前記各行程を制御するとともに、前記端末装置に使用者の情報を入力した後で前記端末装置を前記洗濯機に近づけることによって、前記使用者の情報を前記洗濯機送受信部で受信し、前記使用者の情報により前記操作表示部の電源投入後最初に表示される選択できる運転コースの表示内容を変更する構成としたものである。
【００１９】
これにより、端末装置に家族構成、年齢、洗濯頻度、使用洗剤、風呂水の利用等の使用者の情報を入力した後で前記端末装置を前記洗濯機に近づけることによって、情報通信が行われ、使用者の情報により操作表示部の電源投入後最初に表示される選択できる運転コースの表示内容を使用者のニーズに合ったものに変更することにより、使用者の操作性を向上させ、細かい設定に必要な時間を短縮させることができる。
【発明の効果】
【００２０】
本発明の洗濯機制御システムは、端末装置に家族構成、年齢、洗濯頻度、使用洗剤、風呂水の利用等の使用者の情報を入力した後で前記端末装置を前記洗濯機に近づけることによって、情報通信が行われ、使用者の情報により操作表示部の電源投入後最初に表示される選択できる運転コースの表示内容を使用者のニーズに合ったものに変更することにより
、使用者の操作性を向上させ、細かい設定に必要な時間を短縮させることができる。
【図面の簡単な説明】
【００２１】
【図１】本発明の実施の形態１における洗濯機制御システムの構成を示す斜視図
【図２】同洗濯機制御システムの洗濯機の縦断面図
【図３】同洗濯機制御システムのブロック回路図
【図４】同洗濯機制御システムの洗濯機の操作表示部の正面図
【図５】同洗濯機制御システムの洗濯機の操作表示部の要部断面図
【図６】同洗濯機制御システムの電源を入れた時、操作表示部の液晶表示板に表示される画面を示す図
【図７】同洗濯機制御システムのコース設定ボタンを押した時、操作表示部の液晶表示板に表示される画面を示す図
【図８】同洗濯機制御システムのおまかせボタンを押した時、操作表示部の液晶表示板に表示される画面を示す図
【図９】同洗濯機制御システムの洗濯時間設定画面を示す図
【図１０】同洗濯機制御システムのすすぎ回数設定画面を示す図
【図１１】同洗濯機制御システムの端末装置の使用者の情報を入力するための端末操作部の画面を示す図
【図１２】従来の洗濯機の縦断面図
【図１３】同洗濯機のブロック回路図
【図１４】同洗濯機の操作部の正面図
【発明を実施するための形態】
【００２２】
第１の発明は、洗濯機と、前記洗濯機に設けられた洗濯機送受信部と情報をやりとりできる端末送受信部を有する端末装置とで構成される洗濯機制御システムであって、前記洗濯機は、運転コースの設定内容などを記憶する記憶部を有し、洗い、すすぎ、脱水及び乾燥の各行程を制御する制御部と、前記洗濯機送受信部と、電源入りスイッチなどの入力部と運転コースの設定内容などを表示する表示部を有する操作表示部とを備え、前記端末装置は、前記端末送受信部と、端末入力部と端末表示部と転送開始ボタンを有する端末操作部とを備え、前記洗濯機は、前記端末装置の前記端末操作部で入力され前記端末送受信部から送信された運転コースのプログラム内容を前記洗濯機送受信部で受信して、前記制御部により前記各行程を制御するとともに、前記端末装置に使用者の情報を入力した後で前記端末装置を前記洗濯機に近づけることによって、前記使用者の情報を前記洗濯機送受信部で受信し、前記使用者の情報により前記操作表示部の電源投入後最初に表示される選択できる運転コースの表示内容を変更することにより、操作表示部の電源投入後最初に表示される選択できる運転コースの表示内容を使用者のニーズに合ったものに変更して使用者の操作性を向上させ、細かい設定に必要な時間を短縮させることができるものである。
【００２３】
第２の発明は、前記操作表示部は、液晶表示板による表示部と、前記液晶表示板の前面に設けた接触式入力装置による操作部とを備えたことにより、運転コースの表示内容を自由に変えることができ、前記表示部を触れるだけで、運転内容の詳細設定が可能となることにより、使用者の操作性を向上させ、細かい設定に必要な時間を短縮させることができるものである。
【００２４】
第３の発明は、前記使用者の情報は家族構成、年齢、洗濯頻度、使用洗剤、風呂水の利用のいずれかを含む情報で構成されることにより、使用者の情報によって、より使用者が選択する可能性の高い運転コースや詳細設定を操作表示部の電源投入後最初に表示することにより、使用者の操作性を向上させ、細かい設定に必要な時間を短縮させることができるものである。
【００２５】
以下、本発明の実施の形態について、図面を参照しながら説明する。なお、従来例と同じ構成のものは同一符号を付して説明を省略する。また、この実施の形態によって本発明が限定されるものではない。
【００２６】
（実施の形態１）
図１は、本発明の実施の形態１における洗濯機制御システムの構成を示す斜視図、図２は同洗濯機制御システムの洗濯機の縦断面図、図３は同洗濯機制御システムのブロック回路図を示すものである。
【００２７】
図１、図２において、洗濯機２９と端末装置２８とは、無線による通信にて接続されており、使用者は、洗濯機２９の操作表示部３７の入力部２６から操作して、表示部２７にて設定内容を確認して制御することができるとともに、端末装置２８を操作して、洗濯機２９を制御することもできる。そのため、端末装置２８には、洗濯機２９と情報をやり取りする端末送受信部３３を有し、洗濯機２９の操作表示部３７には、端末装置２８と情報をやり取りする洗濯機送受信部３８を有している。なお、この洗濯機２９の操作表示部３７は水平面ではなく、傾斜面に設けられている。また、洗濯機２９の上面前部内方には、洗濯機２９を制御する制御部３９が配設されている。
【００２８】
図３において、端末装置２８は、端末操作部３０を備えており、この端末操作部３０には、ネットコース設定部（プログラム設定手段）３１と転送開始ボタン（送信開始指示手段）３２とを設けている。ネットコース設定部３１は、洗い、すすぎ、脱水及び乾燥の一連の行程の少なくとも１つの行程の内容を変更することによって、洗濯機２９によって実行されるネットコース（プログラム）の内容を設定する。
【００２９】
端末送受信部（端末側送受信手段）３３は、ネットコース設定部３１によって設定されたネットコースの内容を表す情報を、無線による通信にて、洗濯機２９に送信する。ここで、端末操作部３０と端末送受信部３３へ電圧を供給する電源を有し、送信する際のエネルギーを用いて電力供給を行う、近年使用されている携帯電話などに利用されているＮＦＣ等での動作や、別途電源を持って電池によって構成してもよい。
【００３０】
ネットコース設定部３１は、端末表示部３４と端末入力部３５を有し、端末表示部３４にはネットコースで設定されている洗い、すすぎ、脱水及び乾燥の行程の内容が表示される。端末入力部３５によって、設定内容を変更できるようにしている。運転状態判定手段３６は、端末送受信部３３によって受信したデータによって、洗濯機２９の運転状態を判定するものである。
【００３１】
ここで、端末操作部３０は、タッチパネルによって構成しており、ネットコース設定部３１と転送開始ボタン３２を覆うように形成している。これらの端末装置２８を構成する各部のすべてもしくは一部は携帯電話等の移動体通信端末で代用可能である。なお、端末操作部３０については、後述する図１１において詳述する。
【００３２】
洗濯機２９には制御部（制御手段）３９を設け、この制御部３９は記憶部（不揮発性記憶手段）４０を有し、この記憶部４０は洗濯機送受信部３８によって受信されたネットコース（プログラム）の内容を表す情報を記憶している。また、制御部３９は、洗濯機送受信部３８によって受信され、記憶部４０に記憶されたネットコースの内容を表す情報に基づいて、洗い、すすぎ、脱水及び乾燥の一連の行程をプログラム制御する。
【００３３】
図４は、本発明の実施の形態１における洗濯機制御システムの洗濯機の操作表示部の正面図である。図５は、本発明の実施の形態１における洗濯機制御システムの洗濯機の操作表示部の要部断面図である。
【００３４】
図４、図５において、操作表示部３７の右部には洗濯機送受信部３８、中央部には表示部として液晶表示板４１と、操作部として前記液晶表示板４１前面に重ねて設けた静電容量接触式入力装置（接触式入力装置）４２、前記液晶表示板４１の近傍には液晶表示画面を初期画面に戻すための戻るボタン８５を設けている。また、前記液晶表示板４１の右側方に洗濯機の電源入りボタン４３、電源切りボタン４４、洗濯開始ボタン４５を設けている。図５において、前記静電容量接触式入力装置４２の前面には前記静電容量接触式入力装置４２を保護するための板ガラス４６を設けている。板ガラス４６の周囲には前面化粧板４７を設けている。液晶表示板４１の背面には液晶表示板４１を保持するための保持板４８があり、保持板４８は操作表示基板４９に固定され、配線されている。
【００３５】
図６は、洗濯機の電源を入れるために操作表示部３７にある電源入りボタン４３を押した時、液晶表示板４１に表示される画面を示す図である。この画面の上部には洗濯のみ設定の洗濯ボタン５１、洗濯から乾燥まで行う設定の洗濯〜乾燥ボタン５２、乾燥のみ設定の乾燥のみボタン５３が設けられている。それぞれのボタンを押すと各設定を選択することができる。中央部にはおまかせボタン５４があり、あらかじめおまかせボタン５４が初期設定されているため、洗濯開始ボタン４５を押せば、あらかじめ設定された運転プログラムで洗濯が開始する。
【００３６】
おまかせボタン５４の隣にはコース設定ボタン５５が設けてある。図７はコース設定ボタン５５を押すと表示される画面を示す図である。前記コース設定ボタン５５を押すと、おまかせ以外の毛布を洗うための毛布コースボタン５６や夜間に静かに運転するためのナイトコースボタン５７や時間をかけて念入りに洗濯を行う念入りコースボタン５８が表示される。いずれかのコースの設定ボタン（５６〜５８）を押してコース設定をし、洗濯開始ボタン４５を押すことにより洗濯が開始する。
【００３７】
図６のおまかせコースの詳細設定をするために、おまかせボタン５４を押すと図８の画面が表示される。画面には洗濯時間を設定するための洗濯時間設定ボタン５９、すすぎ回数を設定するためのすすぎ回数設定ボタン６０、すすぎ時間を設定するためのすすぎ時間設定ボタン６１、脱水時間を設定するための脱水時間設定ボタン６２、乾燥の仕上がり状態を設定するための乾燥状態設定ボタン６３が設けられている。また、画面下方には給水時の水位設定をするための水位ボタン６４、風呂水の利用を設定するための風呂水設定ボタン６５、洗濯開始の予約を設定するための予約設定ボタン６６が設けられている。
【００３８】
おまかせコースの詳細設定の中で、子供の衣類の汚れが多いために洗濯時間を長くするには、洗濯時間設定ボタン５９を押す。図９は洗濯時間設定画面である。洗濯時間設定ボタン５９を押すと図９の画面が表示される。この画面は洗濯時間の設定時間を表示する時間表示部６７、洗濯時間を短く設定するための時間設定ボタン６８、洗濯時間を長く設定するための時間設定ボタン６９、洗濯時間を決定するための洗濯時間決定ボタン７０で構成されている。洗濯時間を変更したい場合は時間設定ボタンの６８または６９にて時間表示部６７に表示される時間を変更した後で、洗濯時間決定ボタン７０を押すと自動的に図８に示すおまかせ詳細設定画面に戻り、洗濯時間設定ボタン５９に表示される時間が変更されている。この状態で洗濯開始ボタン４５を押すと、この設定に基づいて洗濯が開始される。
【００３９】
図８のおまかせコース詳細設定画面において、すすぎ回数を変更したい場合はすすぎ回数設定ボタン６０を押す。図１０はすすぎ回数設定画面である。すすぎ回数設定ボタン６０を押すと図１０のすすぎ回数設定画面に切替わる。すすぎ回数設定画面にはすすぎ回数を設定するためのすすぎ回数を０回から４回に設定できるすすぎ回数設定ボタン７１〜７５が設けられている。画面の下方にはすすぎ回数決定ボタン７６がある。すすぎ回数を設
定するにはすすぎ回数設定ボタン７１〜７５のいずれかのボタンを押し、回数決定ボタン７６を押すと自動的に図８に示すおまかせ詳細設定画面に戻り、すすぎ回数設定ボタン６０に表示される回数が変更されている。この状態で洗濯開始ボタン４５を押すと、この設定に基づいて洗濯が開始される。
【００４０】
図８のおまかせコース詳細設定画面において、すすぎ時間設定ボタン６１、脱水時間設定ボタン６２及び乾燥状態設定ボタン６３を押して設定を変更し、その設定に基づいて洗濯を開始するまでの操作も、上記と同様にして行うことができる。
【００４１】
図１１は端末装置２８のタッチパネルで構成された使用者の情報を入力するための端末操作部３０の画面を示す図である。この入力画面は、端末装置２８を利用してインターネット等のネットワークを利用してダウンロードできるシステムによって構築されている。
【００４２】
図１１の使用者の情報を入力するための端末操作部３０の画面には、家族人数を設定する家族人数設定ボタン７７、子供の年齢と性別を設定するための３個の子供設定ボタン７８〜８０、洗濯頻度が一週間に何回かを設定するための洗濯頻度設定ボタン８１、使用洗剤の入力設定を行う使用洗剤入力ボタン８２、通常、風呂水の使用の有無を選択する風呂水使用選択ボタン８３が設けられている。また、画面の下部には設定された使用者の情報を洗濯機２９に送信する送信ボタン８４を設けている。
【００４３】
端末装置２８を洗濯機２９に設けた洗濯機送受信部３８に接近させて、前記端末装置２８の画面の送信ボタン８４を押すと、端末装置２８内の端末送受信部３３と洗濯機送受信部３８の間で通信が行われ、端末装置２８側の各入力ボタン７７〜８３で設定された使用者の情報が洗濯機２９側の制御部３９の記憶部４０に転送され、記憶される。
【００４４】
洗濯を開始するため、洗濯機の電源入りボタン４３を押すと、図６に示すように液晶表示板４１に表示されるおまかせボタン５４が表示される。この詳細設定を行うためのおまかせボタン５４を押すと、図８に示すようにおまかせコース詳細設定画面が表示される。この画面において、端末装置２８から転送された家族構成、年齢、洗濯頻度、使用洗剤、風呂水の利用等の使用者の情報により、洗濯時間、すすぎ回数、すすぎ時間、脱水時間、乾燥状態の設定ボタン５９〜６３に表示される値が最適化されて表示されるように設定されている。
【００４５】
最適化された設定の詳細内容の例を以下に示す。家族構成において幼児がいる場合は洗濯物に泥汚れや油汚れが多く含まれている可能性が大きいため、洗濯時間やすすぎ時間を通常設定より長くする必要がある。例えば通常の洗濯時間設定は１２分となっているが、幼児がいる場合は洗濯時間を１５分に設定する必要がある。この場合、洗濯時間を変更するために図８の洗濯時間設定ボタン５９を押し、図９に示した洗濯時間設定画面を表示させて、時間設定ボタン６９を押し、洗濯時間を変更させる必要があった。
【００４６】
これに対し、本発明の洗濯機制御システムによれば、端末装置２８から転送された使用者の情報により、家族構成において幼児がいる場合は、電源入りボタン４３を押し、図６の表示においておまかせボタン５４を押した時に、図８のおまかせ詳細設定画面に表示される洗濯時間の設定が通常設定より長い１５分に設定されている。一度端末装置２８から使用者の情報を転送すれば、それ以降に設定を変更するまで、洗濯機２９側のおまかせ詳細設定画面に表示される洗濯時間の設定は通常設定より長い１５分に設定されている。これによりおまかせコースの変更をしなくても、洗濯開始ボタン４５を押すだけで、家族構成に合った最適化された設定で洗濯開始ができるため、使用者の操作性を向上させ、細かい設定に必要時間を短縮させることができる。
【００４７】
また、通常の洗剤ではすすぎ回数が２回必要であったが、最近は洗剤も進化しており、濃縮タイプ洗剤ではすすぎ回数が１回の洗剤が商品化され、節水の効果を出している。おまかせコースのすすぎ回数は通常の洗剤に合わせて設定されているため、すすぎ回数は２回に設定されている。そのため濃縮タイプ洗剤を使用する場合はおまかせボタン５４を押し、図８のおまかせコースの詳細設定画面を表示させ、すすぎ回数設定ボタン６０を押し、図１０のすすぎ回数設定画面を表示させる。その後、すすぎ回数設定ボタン７２を押し設定する必要があった。
【００４８】
これに対し、本発明の洗濯機制御システムによれば、端末装置２８から転送された使用者の情報により、使用洗剤が濃縮タイプ洗剤の場合は、電源入りボタン４３を押し、図６の表示においておまかせボタン５４を押した時に、図８のおまかせ詳細設定画面に表示されるすすぎ回数の設定が通常設定回数より少ない１回に設定されている。一度端末装置２８から使用者の情報を転送すれば、それ以降に設定を変更するまで、洗濯機２９側のおまかせ詳細設定画面に表示されるすすぎ回数の設定は通常設定より少ない１回に設定されている。これによりおまかせコースの変更をしなくても、洗濯開始ボタン４５を押すだけで、濃縮タイプ洗剤に合った最適化された設定で洗濯開始ができるため、使用者の操作性を向上させ、細かい設定に必要時間を短縮させることができる。
【００４９】
以上のように本発明の洗濯機制御システムは、洗濯機と、前記洗濯機に設けられた洗濯機送受信部と情報をやりとりできる端末送受信部を有する端末装置とで構成される洗濯機制御システムであって、前記洗濯機は、運転コースの設定内容などを記憶する記憶部を有し、洗い、すすぎ、脱水及び乾燥の各行程を制御する制御部と、前記洗濯機送受信部と、電源入りスイッチなどの入力部と運転コースの設定内容などを表示する表示部を有する操作表示部とを備え、前記端末装置は、前記端末送受信部と、端末入力部と端末表示部と転送開始ボタンを有する端末操作部とを備え、前記洗濯機は、前記端末装置の前記端末操作部で入力され前記端末送受信部から送信された運転コースのプログラム内容を前記洗濯機送受信部で受信して、前記制御部により前記各行程を制御するとともに、前記端末装置に使用者の情報を入力した後で前記端末装置を前記洗濯機に近づけることによって、前記使用者の情報を前記洗濯機送受信部で受信し、前記使用者の情報により前記操作表示部の電源投入後最初に表示される選択できる運転コースの表示内容を変更する構成としたことにより、端末装置に家族構成、年齢、洗濯頻度、使用洗剤、風呂水の利用等の使用者の情報を入力した後で前記端末装置を前記洗濯機に近づけることによって、情報通信が行われ、使用者の情報により操作表示部の電源投入後最初に表示される選択できる運転コースの表示内容を使用者のニーズに合ったものに変更することにより、使用者の操作性を向上させ、細かい設定に必要時間を短縮させることができる。
【００５０】
また、前記操作表示部は、液晶表示板による表示部と、前記液晶表示板の前面に設けた接触式入力装置による操作部とを備えたことにより、運転コースの表示内容を自由に変えることができ、前記表示部を触れるだけで、運転内容の詳細設定が可能となることにより、使用者の操作性を向上させ、細かい設定に必要な時間を短縮させることができる。
【００５１】
また、前記使用者の情報は家族構成、年齢、洗濯頻度、使用洗剤、風呂水の利用のいずれかを含む情報で構成されることにより、使用者の情報によって、より使用者が選択する可能性の高い運転コースや詳細設定を操作表示部の電源投入後最初に表示することにより、使用者の操作性を向上させ、細かい設定に必要な時間を短縮させることができる。
【産業上の利用可能性】
【００５２】
以上のように、本発明にかかる洗濯機制御システムは、使用者の情報を端末装置に入力し、この情報を洗濯機の記憶装置に転送し、操作表示部の電源投入後最初に表示される選択できる運転コースの表示内容を変更することにより、使用者の操作性を向上させ、細か
い設定に必要な時間を短縮することが可能となるので、使用者が運転コースや詳細設定を選択、変更でき、その運転コースや詳細設定に基づいて運転の電子制御を行なう他の電気機器、例えば食器洗い機等の用途にも適用できる。
【符号の説明】
【００５３】
２６  入力部
２７  表示部
２８  端末装置
２９  洗濯機
３０  端末操作部
３２  転送開始ボタン
３３  端末送受信部
３４  端末表示部
３５  端末入力部
３７  操作表示部
３８  洗濯機送受信部
３９  制御部
４０  記憶部
４１  液晶表示板
４２  静電容量接触式入力装置（接触式入力装置）
【図４】
2014054278.tif 000003
【図５】
2014054278.tif 000004
【図６】
2014054278.tif 000005
【図７】
2014054278.tif 000006
【図８】
2014054278.tif 000007
【図１０】
2014054278.tif 000008
【図１１】
2014054278.tif 000009
【図１】
2014054278.tif 000010
【図２】
2014054278.tif 000011
【図３】
2014054278.tif 000012
【図９】
2014054278.tif 000013
【図１２】
2014054278.tif 000014
【図１３】
2014054278.tif 000015
【図１４】
2014054278.tif 000016